(57)【要約】      （修正有）【課題】ジャム処理を容易に行うことができる搬送装置を提供する。【解決手段】当該装置は、ピンチローラ５３及び搬送ローラ５２を有する搬送ローラ部と、排出ローラ６２及び拍車６３を有する排出ローラ部と、シートを支持するプラテン４２と、搬送ローラ部及び排出ローラ部それぞれを構成する２つのローラを当接させる第１位置及び離間させる第２位置に移動可能なリリースロッド７０Ｂとを備え、リリースロッド７０Ｂは、搬送ローラ５２から離間する向きにピンチローラ５３を移動させる搬送ローラ当接部７２と、拍車６３から離間する向きに排出ローラ６２を移動させる排出ローラ当接部７３とを有し、プラテン４２は、リリースロッド７０Ｂが第２位置に移動されることによって、搬送向き１５の搬送ローラ部側の端部を基点として排出ローラ部側の端部が排出ローラ６２の移動向きに回動する。【選択図】図１０
2014156088.tif 000002
【特許請求の範囲】
【請求項１】
シートの第１面に当接し且つ径方向に移動可能な第１ローラ、及びシートの第２面に当接する第２ローラを有しており、上記第１ローラ及び上記第２ローラでシートを挟持して搬送向きに搬送する第１搬送部と、
上記第１搬送部に対して上記搬送向きの上流側又は下流側に配置されており、シートの上記第２面に当接し且つ径方向に移動可能な第３ローラ、及びシートの上記第１面に当接する第４ローラを有しており、上記第３ローラ及び上記第４ローラでシートを挟持して上記搬送向きに搬送する第２搬送部と、
上記搬送向きにおける上記第１搬送部及び上記第２搬送部の間に配置されており、上記第１搬送部及び上記第２搬送部の間を搬送されるシートを上記第２面側から支持するプラテンと、
上記第１搬送部及び上記第２搬送部それぞれを構成する２つのローラを当接させる第１位置及び離間させる第２位置に移動可能な可動部材と、を備えており、
上記可動部材は、
上記第２位置において上記第１搬送部に当接し、上記搬送向きと交差し且つ上記第２ローラから離間する向きに上記第１ローラを移動させる第１当接部と、
上記第２位置において上記第２搬送部に当接し、上記搬送向きと交差し且つ上記第４ローラから離間する向きに上記第３ローラを移動させる第２当接部と、を有しており、
上記プラテンは、上記可動部材が上記第２位置に移動されることによって、上記第２搬送部側の端部が上記第３ローラの移動向きに回動する搬送装置。
【請求項２】
上記第３ローラは、上記プラテンの上記第２搬送部側の端部を支持している請求項１に記載の搬送装置。
【請求項３】
上記第２搬送部は、上記第１搬送部より上記搬送向きの下流側に配置されており、上記第１搬送部によって搬送されたシートを上記搬送向きに搬送するものであり、
上記可動部材が第２位置に位置する場合において、
上記第１当接部は、シートの上面に当接する上記第１ローラを上方に移動させ、
上記第２当接部は、シートの下面に当接する上記第３ローラを下方に移動させる請求項１又は２に記載の搬送装置。
【請求項４】
上記第１搬送部、上記第２搬送部、上記プラテン、及び上記可動部材を支持し、上記第２搬送部より下方で且つ上記搬送向きの下流側において外部に開口された内部空間が形成されたベース部材をさらに備えており、
上記第２搬送部は、上記内部空間に向けてシートを搬送する請求項１から３のいずれかに記載の搬送装置。
【請求項５】
上記可動部材は、上記内部空間に露出する把持部をさらに備えており、上記開口に近づく向きに上記把持部が移動されることによって、上記第１位置から上記第２位置へ移動する請求項４に記載の搬送装置。
【請求項６】
上記開口を通じて上記内部空間に挿抜可能であって、上記第２搬送部によって搬送されたシートを支持する排出トレイをさらに備えており、
上記可動部材は、上記開口を通じて上記内部空間に挿入された上記排出トレイに当接された上記把持部が上記開口から遠ざかる向きに移動されることによって、上記第２位置から上記第１位置へ移動する請求項５に記載の搬送装置。
【請求項７】
上記第２ローラを駆動するモータをさらに備えており、
上記第１ローラは、上記第２ローラの回転に伴って連れ廻る従動ローラである請求項１から６のいずれかに記載の搬送装置。
【請求項８】
上記第１搬送部は、
上記第２ローラの軸を回転可能に支持する軸受と、
上記第２ローラの軸方向に離間して設けられた複数の上記第１ローラと、
各々が複数の上記第１ローラのうちの少なくとも１つを回転可能に支持する複数の支持部材と、
複数の上記第１ローラを下向きに付勢する付勢部材と、
上記第２ローラの軸に沿って延設され且つ複数の支持部材それぞれに挿通されており、径方向に移動可能な長尺部材と、を有しており、
上記第２位置の上記第１当接部は、上記軸受及び上記長尺部材の間に位置し且つ上記軸受の外面及び上記長尺部材の外面に当接することにより、上記第１ローラを上方に移動させる請求項１から７のいずれかに記載の搬送装置。
【請求項９】
上記第２搬送部は、上記第３ローラを上向きに付勢する付勢部材を有しており、
上記第２位置の上記第２当接部は、上記第３ローラの軸に当接することにより、上記付勢部材の付勢力に抗して上記第３ローラを下方に移動させる請求項１から８のいずれかに記載の搬送装置。
【請求項１０】
請求項１から９のいずれかに記載の搬送装置と、
上記搬送向きにおける上記第１搬送部及び上記第２搬送部の間において上記プラテンと対向して配置されており、上記プラテンによって支持されたシートの上記第１面に画像を記録する記録部と、備える画像記録装置。
【発明の詳細な説明】
【技術分野】
【０００１】
本発明は、ジャム処理を容易に行うことができる搬送装置及び画像記録装置に関する。
【背景技術】
【０００２】
従来より、搬送ローラによって搬送されたシートに画像を記録する画像記録装置が知られている。従来の画像記録装置は、例えば、シートを挟持して搬送する搬送ローラ対と、搬送ローラ対によって搬送されたシートに画像を記録する記録部と、記録部によって画像が記録されたシートを挟持して排出する排出ローラ対とを備える。
【０００３】
上記構成の画像記録装置において、搬送ローラ対及び排出ローラ対に挟持された記録用紙が搬送経路上で詰まることがある。そこで、搬送経路上に詰まった記録用紙を取り除く（所謂、ジャム処理）ために、搬送ローラ対及び排出ローラそれぞれを構成する一対のローラを離間させるニップ解除機構を備える画像記録装置が知られている（特許文献１参照）。
【先行技術文献】
【特許文献】
【０００４】
【特許文献１】特開２００３−９４７４０号公報
【発明の概要】
【発明が解決しようとする課題】
【０００５】
しかしながら、搬送ローラ対及び排出ローラ対の両方に挟持された記録用紙を取り除く場合、搬送ローラ対のニップと排出ローラ対のニップとをそれぞれ解除しなければならない。また、搬送経路上の記録用紙の向きと、記録用紙を引き出す向きとが大きく異なる場合、記録用紙を引き出すのに大きな力を必要としたり、引き出し中に記録用紙が破れたりする可能性がある。
【０００６】
本発明は、上記の事情に鑑みてなされたものであり、その目的は、ジャム処理を容易に行うことができる搬送装置、及びこのような搬送装置を備える画像記録装置を提供することである。
【課題を解決するための手段】
【０００７】
(1)  本発明に係る搬送装置は、シートの第１面に当接し且つ径方向に移動可能な第１ローラ、及びシートの第２面に当接する第２ローラを有しており、上記第１ローラ及び上記第２ローラでシートを挟持して搬送向きに搬送する第１搬送部と、上記第１搬送部に対して上記搬送向きの上流側又は下流側に配置されており、シートの上記第２面に当接し且つ径方向に移動可能な第３ローラ、及びシートの上記第１面に当接する第４ローラを有しており、上記第３ローラ及び上記第４ローラでシートを挟持して上記搬送向きに搬送する第２搬送部と、上記搬送向きにおける上記第１搬送部及び上記第２搬送部の間に配置されており、上記第１搬送部及び上記第２搬送部の間を搬送されるシートを上記第２面側から支持するプラテンと、上記第１搬送部及び上記第２搬送部それぞれを構成する２つのローラを当接させる第１位置及び離間させる第２位置に移動可能な可動部材とを備える。そして、上記可動部材は、上記第２位置において上記第１搬送部に当接し、上記搬送向きと交差し且つ上記第２ローラから離間する向きに上記第１ローラを移動させる第１当接部と、上記第２位置において上記第２搬送部に当接し、上記搬送向きと交差し且つ上記第４ローラから離間する向きに上記第３ローラを移動させる第２当接部とを有する。また、上記プラテンは、上記可動部材が上記第２位置に移動されることによって、上記第２搬送部側の端部が上記第３ローラの移動向きに回動する。
【０００８】
上記構成によれば、可動部材を第１位置から第２位置に移動させる１つの動作で、第１搬送部及び第２搬送部それぞれを構成する２つのローラを離間させることができる。また、第１ローラと第３ローラとを互いに逆向きに移動させ、且つ第３ローラの移動向きにプラテンを回動させることにより、シートの搬送経路が傾けられる。そこで、傾いた搬送経路の略延長線上に取り出し口を設けることにより、搬送経路上に詰まったシートを取り出しやすくなる。
【０００９】
(2)  例えば、上記第３ローラは、上記プラテンの上記第２搬送部側の端部を支持している。
【００１０】
(3)  例えば、上記第２搬送部は、上記第１搬送部より上記搬送向きの下流側に配置されており、上記第１搬送部によって搬送されたシートを上記搬送向きに搬送する。そして、上記可動部材が第２位置に位置する場合において、上記第１当接部は、シートの上面に当接する上記第１ローラを上方に移動させ、上記第２当接部は、シートの下面に当接する上記第３ローラを下方に移動させる。
【００１１】
(4)  好ましくは、上記第１搬送部、上記第２搬送部、上記プラテン、及び上記可動部材を支持し、上記第２搬送部より下方で且つ上記搬送向きの下流側において外部に開口された内部空間が形成されたベース部材をさらに備える。そして、上記第２搬送部は、上記内部空間に向けてシートを搬送する。
【００１２】
上記構成によれば、搬送装置内に詰まったシートが開口に向けて傾くので、開口を通じてシートをスムーズに引き出すことができる。
【００１３】
(5)  好ましくは、上記可動部材は、上記内部空間に露出する把持部をさらに備えており、上記開口に近づく向きに上記把持部が移動されることによって、上記第１位置から上記第２位置へ移動する。
【００１４】
上記構成によれば、例えば、内部空間に配置されている排出トレイを取り出し、把持部を掴んで可動部材を開口側に引き出すことによってニップを解除し、開口側に傾けられたシートを引き出すことによってジャム処理を行うことができる。
【００１５】
(6)  好ましくは、当該搬送装置は、上記開口を通じて上記内部空間に挿抜可能であって、上記第２搬送部によって搬送されたシートを支持する排出トレイをさらに備える。そして、上記可動部材は、上記開口を通じて上記内部空間に挿入された上記排出トレイに当接された上記把持部が上記開口から遠ざかる向きに移動されることによって、上記第２位置から上記第１位置へ移動する。
【００１６】
上記構成によれば、ジャム処理の後で再び排出トレイを内部空間に挿入することによって、可動部材を第１位置に移動させることができる。その結果、ニップが解除された状態で次のシートの搬送が開始されるのを防止できる。
【００１７】
(7)  好ましくは、当該搬送装置は、上記第２ローラを駆動するモータをさらに備える。そして、上記第１ローラは、上記第２ローラの回転に伴って連れ廻る従動ローラである。
【００１８】
上記構成のように、モータによって駆動されるローラを固定し、従動ローラを移動させる構成とすることにより、搬送精度の低下を抑制できる。
【００１９】
(8)  例えば、上記第１搬送部は、上記第２ローラの軸を回転可能に支持する軸受と、上記第２ローラの軸方向に離間して設けられた複数の上記第１ローラと、各々が複数の上記第１ローラのうちの少なくとも１つを回転可能に支持する複数の支持部材と、複数の上記第１ローラを下向きに付勢する付勢部材と、上記第２ローラの軸に沿って延設され且つ複数の支持部材それぞれに挿通されており、径方向に移動可能な長尺部材とを有する。そして、上記第２位置の上記第１当接部は、上記軸受及び上記長尺部材の間に位置し且つ上記軸受の外面及び上記長尺部材の外面に当接することにより、上記第１ローラを上方に移動させる。
【００２０】
(9)  例えば、上記第２搬送部は、上記第３ローラを上向きに付勢する付勢部材を有する。そして、上記第２位置の上記第２当接部は、上記第３ローラの軸に当接することにより、上記付勢部材の付勢力に抗して上記第３ローラを下方に移動させる。
【００２１】
(10)  本発明に係る画像記録装置は、上記記載の搬送装置と、上記搬送向きにおける上記第１搬送部及び上記第２搬送部の間において上記プラテンと対向して配置されており、上記プラテンによって支持されたシートの上記第１面に画像を記録する記録部と備える。
【発明の効果】
【００２２】
本発明によれば、可動部材を第１位置から第２位置に移動させる１つの動作で第１搬送ローラ対及び第２搬送ローラ対それぞれのニップが解除され、且つ詰まったシートが所定の方向に傾けられるので、ジャム処理を容易に行うことができる。
【図面の簡単な説明】
【００２３】
【図１】図１は、本発明の実施形態の一例である複合機１０の斜視図である。
【図２】図２は、プリンタ部１１の内部構造を模式的に示す縦断面図である。
【図３】図３は、ベース部材１００及びサイドフレーム１２０、１３０の分解斜視図である。
【図４】図４は、サイドフレーム１２０、１３０に支持されたガイドレール４５、搬送ローラ対５１、プラテン４２、排出ローラ対６１、リリースロッド７０Ａ、７０Ｂ、及びサイドフレーム１２０、１３０の斜視図である。
【図５】図５は、複合機１０を前方側から見た平面図である。
【図６】図６は、リリースロッド７０Ａの斜視図である。
【図７】図７は、リリースロッド７０Ｂが第１位置に位置する時の搬送ローラ対５１及び排出ローラ対６１の状態を示す部分斜視図である。
【図８】図８は、リリースロッド７０Ｂが第２位置に位置する時の搬送ローラ対５１及び排出ローラ対６１の状態を示す部分斜視図である。
【図９】図９は、リリースロッド７０Ｂが第１位置に位置する時の搬送ローラ対５１、排出ローラ対６１、及びプラテン４２の状態を示す断面図である。
【図１０】図１０は、リリースロッド７０Ｂが第２位置に位置する時の搬送ローラ対５１、排出ローラ対６１、及びプラテン４２の状態を示す断面図である。
【図１１】図１１は、変形例における搬送ローラ対５１、排出ローラ対６１、及びプラテン４２の状態を模式的に示す断面図であって、（Ａ）はリリースロッド７０Ａ、７０Ｂが第１位置に位置する状態を示し、（Ｂ）はリリースロッド７０Ａ、７０Ｂが第２位置に位置する状態を示す。
【発明を実施するための形態】
【００２４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２５】
［複合機１０の全体構造］
図１に示されるように、複合機１０（本発明の画像記録装置の一例）は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録するものであってもよい。複合機１０には、搬送装置が設けられている。搬送装置は、記録用紙１２を複合機１０の内部において搬送する装置であって、後述するプラテン４２、搬送ローラ部、排出ローラ部、及びリリースロッド７０Ａ、７０Ｂを備える。
【００２６】
図１に示されるように、プリンタ部１１の正面には、開口１３が形成されている。プリンタ部１１には、各種サイズの記録用紙１２を収容可能な給送トレイ２０が、開口１３を通じて前後方向８に挿抜可能である。給送トレイ２０の上には、排出トレイ２１が積層されている。排出トレイ２１は、給送トレイ２０と一体に移動する。排出トレイ２１は、後述する記録部２４によって画像が記録され、且つ後述する排出ローラ対６１によって排出された記録用紙１２を支持する。
【００２７】
プリンタ部１１は、ベース部材１００（図３参照）と、ベース部材１００を上方から覆う外装カバー１４とを備える。また、プリンタ部１１の内部には、図２に示されるように、給送部１６、搬送ローラ対５１、記録部２４、排出ローラ対６１、及びプラテン４２等が設けられている。ベース部材１００は、給送部１６、搬送ローラ対５１、記録部２４、排出ローラ対６１、プラテン４２、及びサイドフレーム１２０、１３０等を支持し、且つ外装カバー１４によって覆われている。
【００２８】
給送部１６は、給送トレイ２０から記録用紙１２をピックアップして搬送路３５に給送する。搬送ローラ対５１は、給送部１６によって搬送路３５に給送された記録用紙１２を搬送向き１５の下流側に搬送する。記録部２４は、搬送ローラ対５１によって搬送された記録用紙１２にインク滴を吐出することによって画像を記録する。排出ローラ対６１は、記録部２４によって画像が記録された記録用紙１２を排出トレイ２１に排出する。プラテン４２は、搬送ローラ対５１によって搬送される記録用紙１２を下側から支持する。
【００２９】
［搬送路３５］
図２に示されるように、給送トレイ２０の後端部から搬送路３５が延出されている。搬送路３５は、湾曲搬送路３３と直線搬送路３４とを備える。湾曲搬送路３３は、プリンタ部１１の後方側を湾曲外側とし且つ前方側を湾曲内側として湾曲しつつ延びている。直線搬送路３４は、前後方向８に延びている。給送トレイ２０に支持された記録用紙１２は、湾曲搬送路３３を下方から上方へＵターンするように搬送された後、直線搬送路３４を前後方向８の前方に搬送されて記録部２４に導かれる。記録部２４により画像記録が行われた記録用紙１２は、直線搬送路３４を前後方向８のさらに前方に搬送されて排出トレイ２１に排出される。つまり、記録用紙１２は、図２に一点鎖線の矢印で示される搬送向き１５に沿って搬送される。
【００３０】
湾曲搬送路３３は、所定間隔を隔てて互いに対向する外側ガイド部材１８と内側ガイド部材１９とによって形成されている。外側ガイド部材１８は、湾曲搬送路３３の湾曲外側を形成している。内側ガイド部材１９は、湾曲搬送路３３の湾曲内側を形成している。直線搬送路３４は、記録部２４が配置されている位置において所定間隔を隔てて互いに対向する記録部２４とプラテン４２とによって形成されている。すなわち、各ガイド部材１８、１９は、搬送路３５の少なくとも一部を形成している。
【００３１】
外側ガイド部材１８は、後述するベース部材１００に回動可能に支持されている。外側ガイド部材１８の下端部における左右方向９の両端に、左右方向９に延びた軸４８が形成されている。本実施形態において、軸４８は、外側ガイド部材１８の両端から左右方向９の外側に向けて突出した突起である。軸４８は、ベース部材１００に形成された孔（不図示）に挿入される。これにより、外側ガイド部材１８は、湾曲搬送路３３を覆う被覆位置（図２の実線で示される位置）と、湾曲搬送路３３を露出させる露出位置（図２の破線で示される位置）とに回動する。
【００３２】
被覆位置における外側ガイド部材１８は、対向する内側ガイド部材１９とともに搬送路３５の湾曲搬送路３３を形成する。一方、外側ガイド部材１８が露出位置のとき、内側ガイド部材１９の外表面は、プリンタ部１１の外部に露出される。つまり、露出位置における外側ガイド部材１８は、搬送路３５の湾曲搬送路３３を外部に露出させる。これにより、複合機１０のユーザは、湾曲搬送路３３に詰まった記録用紙１２を取り出す（所謂、ジャム処理）ことができる。
【００３３】
［搬送部８０］
搬送部８０は、湾曲搬送路３３より搬送向き１５の上流側に配置された給送部１６と、直線搬送路３４における記録部２４よりも搬送向き１５の上流側に配置された搬送ローラ対５１と、直線搬送路３４における記録部２４よりも搬送向き１５の下流側に配置された排出ローラ対６１とを備える。なお、搬送ローラ部（本発明の第１搬送部の一例）は、搬送ローラ対５１と、後述する軸受５４、５５、ローラホルダ５６、リリースシャフト５７、及びコイルバネ５８とで構成される。また、排出ローラ部（本発明の第２搬送部の一例）は、排出ローラ対６１と、後述するコイルバネ６７及び支持板６８とで構成される。
【００３４】
［給送部１６］
給送部１６は、図２に示されるように、プリンタ部１１の内部において、給送トレイ２０の上方で且つ記録部２４の下方に設けられている。給送部１６は、給送ローラ２５と、給送アーム２６と、駆動伝達機構２７とを備えている。給送ローラ２５は、給送アーム２６の先端部で軸支されている。給送アーム２６は、基端部に設けられた支軸２８を中心として、矢印２９の方向に回動する。これにより、給送ローラ２５は、給送トレイ２０又は給送トレイ２０に支持された記録用紙１２に対して、当接及び離間が可能である。給送ローラ２５は、複数のギヤが噛合されてなる駆動伝達機構２７によって搬送用モータ（不図示）の駆動力が伝達されて回転する。なお、給送ローラ２５は、搬送用モータとは別に設けられたモータから駆動力を付与されて回転してもよい。
【００３５】
［搬送ローラ対５１］
搬送ローラ対５１は、図２に示されるように、搬送ローラ５２（本発明の第２ローラの一例）とピンチローラ５３（本発明の第１ローラ及び従動ローラの一例）とで構成される。本実施形態における搬送ローラ５２は、例えば、ローラ軸の外周面にセラミックコーティングを施すことによって形成される。また、本実施形態では、金属製の円筒軸（中空軸）がローラ軸として採用される。但し、搬送ローラ５２の具体的な構成はこれに限定されず、ローラをローラ軸に外嵌して構成してもよいし、中実軸をローラ軸として採用してもよい。
【００３６】
本実施形態における搬送ローラ５２は、直線搬送路３４の下側に配置されており、湾曲搬送路３３から直線搬送路３４に導かれた記録用紙１２の下面（本発明の第２面の一例）に当接する。搬送ローラ５２は、正転駆動及び逆転駆動が可能な搬送用モータから駆動力が付与されて回転する。一方、ピンチローラ５３は、直線搬送路３４の上側において搬送ローラ５２に対向して配置されており、記録用紙１２の上面（本発明の第１面の一例）に当接する。ピンチローラ５３は、搬送ローラ５２の回転に伴って連れ回る。搬送ローラ５２とピンチローラ５３とは、協同して記録用紙１２を上下方向７から挟持し、搬送向き１５に搬送する。
【００３７】
搬送ローラ５２は、正転駆動する搬送用モータから駆動力を付与されて正転する。ここで、搬送ローラ５２の正転とは、記録用紙１２を搬送向き１５に搬送する向きの回転である。すなわち、プリンタ部１１を図２の方向から見た搬送ローラ５２の正転は時計回りの回転であり、ピンチローラ５３の正転は反時計回りの回転である。一方、搬送ローラ５２は、逆転駆動する搬送用モータから駆動力を付与されて逆転する。搬送ローラ５２の逆転とは、記録用紙１２を搬送向き１５とは逆向きに搬送する向きの回転である。すなわち、図２の方向から見た搬送ローラ５２の逆転は反時計回りの回転であり、ピンチローラ５３の逆転は時計回りの回転である。
【００３８】
［排出ローラ対６１］
排出ローラ対６１は、図２に示されるように、排出ローラ６２（本発明の第３ローラの一例）と拍車６３（本発明の第４ローラの一例）とで構成される。本実施形態における排出ローラ６２は、直線搬送路３４の下側に配置されており、直線搬送路３４を搬送される記録用紙１２の下面に当接する。排出ローラ６２は、搬送用モータから駆動力が付与されて回転する軸６４と、軸６４に外嵌されて一体回転するローラ６５とで構成される。一方、拍車６３は、直線搬送路３４の上側において排出ローラ６２に対向して配置されており、記録用紙１２の上面に当接する。拍車６３は、軸６６に外嵌されており、排出ローラ６２の回転に伴って連れ回る。排出ローラ６２と拍車６３とは、協同して記録用紙１２を上下方向７から挟持し、搬送向き１５に搬送する。その結果、記録用紙１２は、排出ローラ対６１より搬送向き１５の下流側に位置する開口１３に向けて搬送され、後述するトレイ収容空間１０７に挿入された排出トレイ２１に排出される。
【００３９】
排出ローラ６２は、正転駆動する搬送用モータから駆動力を付与されて正転する。ここで、排出ローラ６２の正転とは、記録用紙１２を搬送向き１５に搬送する向きの回転である。すなわち、図２の方向から見た排出ローラ６２の正転は時計回りの回転であり、拍車６３の正転は反時計回りの回転である。一方、排出ローラ６２は、逆転駆動する搬送用モータから駆動力を付与されて逆転する。排出ローラ６２の逆転とは、記録用紙１２を搬送向き１５とは逆向きに搬送する向きの回転である。すなわち、図２の方向から見た排出ローラ６２の逆転は反時計回りの回転であり、拍車６３の逆転は時計回りの回転である。
【００４０】
［プラテン４２］
プラテン４２は、図２に示されるように、直線搬送路３４の下側で且つ搬送ローラ対５１及び排出ローラ対６１の間の位置、すなわち、搬送ローラ対５１より搬送向き１５の下流側で且つ排出ローラ対６１より搬送向き１５の上流側に設けられている。プラテン４２は、上下方向７において記録部２４に対向して配置され、直線搬送路３４を搬送される記録用紙１２を下側から支持する部材である。
【００４１】
［記録部２４］
図２に示されるように、記録部２４は、直線搬送路３４の上側で且つ上下方向７においてプラテン４２と対向する位置に配置されている。記録部２４は、キャリッジ４０と記録ヘッド３８とを備えている。キャリッジ４０は、２つのガイドレール４５、４６によって支持されている。２つのガイドレール４５、４６は、前後方向８に間隔を空けて配置され、各々が左右方向９に延設されている。キャリッジ４０は、２つのガイドレール４５、４６を跨ぐようにして配置され、２つのガイドレール４５、４６に沿って主走査方向である左右方向９に往復移動する。記録ヘッド３８は、キャリッジ４０に搭載されている。記録ヘッド３８は、インクカートリッジ（不図示）から供給されたインクを、下面に設けられたノズル３９から吐出する。すなわち、キャリッジ４０が左右方向９に移動している過程において、記録ヘッド３８のノズル３９からインク滴がプラテン４２に向けて吐出されることにより、プラテン４２に支持された記録用紙１２の上面に画像が記録される。
【００４２】
［ベース部材１００］
ベース部材１００は、図３に示されるように、左右方向９の中央部に位置するセンタベース１０１と、センタベース１０１と左右方向９に隣接するサイドベース１０２、１０３とで構成されている。サイドベース１０２は、センタベース１０１の右側に隣接して設けられている。サイドベース１０３は、センタベース１０１の左側に隣接して設けられている。すなわち、サイドベース１０２、１０３は、左右方向９に離間した位置に設けられている。また、センタベース１０１は、左右方向９においてサイドベース１０２、１０３の間に位置する。なお、本実施形態におけるベース部材１００は、樹脂材料で一体成形されている。
【００４３】
センタベース１０１は、前後方向８の後方側に位置する主壁１１３と、前後方向８の前方側に位置する主壁１１４とを有する。主壁１１３、１１４は、サイドベース１０２、１０３の間において、前後方向８及び左右方向９に延設されている。一方、主壁１１３、１１４は、前後方向８において互いに離間している。主壁１１３は、給送部１６、記録部２４、搬送ローラ対５１、排出ローラ対６１、及びプラテン４２等を支持する。主壁１１４は、複合機１０の動作を制御する制御基板（不図示）等を支持する。
【００４４】
センタベース１０１には、給送トレイ２０及び排出トレイ２１を収容するトレイ収容空間１０７（図５参照）が設けられている。トレイ収容空間１０７は、図５に示されるように、上下方向７においてセンタベース１０１の主壁１１３、１１４より下方に形成されている。また、トレイ収容空間１０７は、前後方向８においてベース部材１００の概ね全域に設けられている。さらに、トレイ収容空間１０７は、左右方向９においてセンタベース１０１に対応する位置（すなわち、ベース部材１００の中央部）に設けられている。
【００４５】
図３に示されるように、左右方向９における主壁１１３の上面の両端部には、突起１１５Ａ、１１５Ｂ、１１６Ａ、１１６Ｂが設けられている。突起１１５Ａ、１１５Ｂは、主壁１１３の上面の右端において前後方向８に離間して設けられている。突起１１６Ａ、１１６Ｂは、主壁１１３の上面の左端において前後方向８に離間して設けられている。また、各突起１１５Ａ、１１５Ｂ、１１６Ａ、１１６Ｂの概ね中央には、ネジ（締結部材の一例）が螺合されるねじ穴が形成されている。
【００４６】
内側ガイド部材１９は、前後方向８における主壁１１３の後方側の端部（すなわち、搬送向き１５の上流側の端部）に設けられている。そして、給送トレイ２０に支持された記録用紙１２は、内側ガイド部材１９によって主壁１１３の下面から主壁１１３の上面側に案内される。さらに、記録用紙１２は、主壁１１３の上面及び主壁１１４の下面に沿って前後方向８の前方側に案内される。すなわち、湾曲搬送路３３は、主壁１１３の後方側の端部に沿って主壁１１３下面側から上面側に湾曲している。また、直線搬送路３４は、主壁１１３の上面及び主壁１１４の下面に沿う水平面上において、前後方向８に直線的に設けられている。
【００４７】
主壁１１３の上面には、図３に示されるように、左右方向９に離間した位置に一対のサイドフレーム１２０、１３０が取り付けられる。このサイドフレーム１２０、１３０は、金属を板金加工して形成される。サイドフレーム１２０は、板状のベース部１２１及び支持壁１２２を、短手方向の断面形状が概ねＬ字形となるように組み合わせて構成される。サイドフレーム１３０は、板状のベース部１３１及び支持壁１３２を、短手方向の断面形状が概ねＬ字形となるように組み合わせて構成される。
【００４８】
ベース部１２１は、長手方向を前後方向８に向けて主壁１１３の上面に取り付けられる。ベース部１２１には、前後方向８に離間した位置に貫通孔１２３Ａ、１２３Ｂが設けられている。サイドフレーム１２０が主壁１１３に取り付けられると、突起１１５Ａ、１１５Ｂが貫通孔１２３Ａ、１２３Ｂに挿入される。すなわち、突起１１５Ａ、１１５Ｂと貫通孔１２３Ａ、１２３Ｂとは、互いに対応する位置に設けられており、サイドフレーム１２０を主壁１１３に対して前後方向８及び左右方向９に位置決めする。サイドフレーム１２０が主壁１１３に取り付けられた状態で突起１１５Ａ、１１５Ｂのねじ穴にネジが螺合されることにより、サイドフレーム１２０が主壁１１３に固定される。
【００４９】
支持壁１２２は、ベース部１２１の短手方向の一方側の端部に突設されている。すなわち、サイドフレーム１２０が主壁１１３に取り付けられた状態の支持壁１２２は、上方に突設され且つ前後方向８に延設されている。支持壁１２２には、上端からさらに上方に突出する突出片１２４、１２５と、厚み方向に貫通する第１受け部１２６及び第２受け部１２７とが、サイドフレーム１２０の長手方向に離間して設けられている。サイドフレーム１２０が主壁１１３に取り付けられた状態の支持壁１２２には、前後方向８の後方側から前方側に向けて、突出片１２４、第１受け部１２６、第２受け部１２７、及び突出片１２５の順に設けられている。
【００５０】
サイドフレーム１３０の構成は、サイドフレーム１２０と共通する。すなわち、ベース部１３１には貫通孔１３３Ａ、１３３Ｂが設けられている。また、支持壁１３２には、突出片１３４、１３５と、第１受け部１３６及び第２受け部１３７とが設けられている。その結果、サイドフレーム１２０、１３０が主壁１１３に取り付けられた状態において、支持壁１２２、１３２は左右方向９において互いに対向する。より詳細には、前後方向８において、突出片１２４、１３４同士が互いに対向し、突出片１２５、１３５同士が互いに対向し、第１受け部１２６、１３６同士が互いに対向し、第２受け部１２７、１３７同士が互いに対向する。
【００５１】
ガイドレール４５は、図４に示されるように、サイドフレーム１２０、１３０に支持されている。詳細には、ガイドレール４５には、左右方向９に離間した位置において厚み方向（図４の上下方向７）に貫通する貫通孔４５Ａ、４５Ｂが設けられている。この貫通孔４５Ａ、４５Ｂは、サイドフレーム１２０、１３０の突出片１２４、１３４に対応する位置に配置されており、且つ突出片１２４、１３４と対応する形状となっている。すなわち、ガイドレール４５がサイドフレーム１２０、１３０の上端に支持されると、突出片１２４、１３４が貫通孔４５Ａ、４５Ｂに挿入される。これにより、ガイドレール４５がサイドフレーム１２０、１３０（換言すれば、ベース部材１００）に対して前後方向８及び左右方向９に位置決めされる。
【００５２】
また、図示は省略するが、ガイドレール４６は、ガイドレール４５と同様に、サイドフレーム１２０、１３０の上端に支持され且つ突出片１２５、１３５によって前後方向８及び左右方向９に位置決めされる。すなわち、ガイドレール４５、４６は、前後方向８に離間した位置においてサイドフレーム１２０、１３０に支持され、且つ各々が左右方向９に延設されている。
【００５３】
搬送ローラ５２には、図４に示されるように、軸方向（図４の左右方向９）に離間した位置に軸受５４、５５が外嵌されている。詳細には、軸受５４、５５は、サイドフレーム１２０、１３０の第１受け部１２６、１３６に対応する位置において、搬送ローラ５２に外嵌されている。そして、軸受５４はサイドフレーム１２０の第１受け部１２６に支持され、軸受５５はサイドフレーム１３０の第１受け部１３６に支持される。
【００５４】
搬送ローラ対５１は、搬送ローラ５２の軸方向に離間して設けられた複数（本実施形態では、４個）のピンチローラ５３を有している。各ピンチローラ５３は、複数（本実施形態では、４個）のローラホルダ５６のそれぞれによって回転可能に支持されている。各ローラホルダ５６は、係止部５６Ａを有する。係止部５６Ａは、ガイドレール４５を厚み方向に貫通する貫通孔４５Ｃを通過して、ガイドレール４５の上面に係止される。すなわち、各ローラホルダ５６は、ガイドレール４５によって支持されている。
【００５５】
また、ガイドレール４５と各ローラホルダ５６との間には、各ローラホルダ５６（換言すれば、各ピンチローラ５３）を搬送ローラ５２に押圧する向きに付勢するコイルバネ５８（本発明の付勢部材の一例、図９（Ｂ）参照）が設けられている。コイルバネ５８は、各ピンチローラ５３を搬送ローラ５２に押しつける向き（すなわち、下向き）にローラホルダ５６を付勢している。すなわち、コイルバネ５８は、各ピンチローラ５３を下向きに付勢している。
【００５６】
さらに、各ローラホルダ５６に設けられた孔５６Ｃ（図９（Ｂ）参照）には、リリースシャフト５７（本発明の長尺部材の一例）が挿通されている。リリースシャフト５７は、搬送ローラ５２の軸に沿って延設され、径方向に移動可能に構成されている。また、リリースシャフト５７は、前後方向８においてピンチローラ５３と異なる位置に配置されている。詳細には、リリースシャフト５７は、ピンチローラ５３より搬送向き１５の上流側に位置している。換言すれば、ピンチローラ５３は、リリースシャフト５７より搬送向き１５の下流側に位置している。リリースシャフト５７は、上方に移動する過程において、孔５６Ｃを区画するローラホルダ５６の壁面に当接し、コイルバネ５８の付勢力に抗して各ローラホルダ５６を上方に移動させる。すなわち、各ピンチローラ５３は、径方向に移動可能に構成されている。
【００５７】
排出ローラ６２は、軸６４と、軸方向に離間した位置において軸６４に外嵌された複数のローラ６５とで構成されている。軸６４は、軸方向に離間した位置に外嵌された軸受（不図示）を介してサイドフレーム１２０、１３０に回転可能に支持されている。より詳細には、軸６４に外嵌された軸受は、サイドフレーム１２０、１３０の第２受け部１２７、１３７に支持される。また、軸６４は、コイルバネ６７（付勢部材の一例、図９（Ａ）参照）によって上方に付勢されている。すなわち、排出ローラ６２は、径方向に移動可能に構成されている。拍車６３は、排出ローラ６２の各ローラ６５に対応する複数の位置に設けられている。拍車６３は、軸６６によって回転可能に支持されている。複数の拍車６３は、支持板６８（図９参照）によって支持されている。この支持板６８は、ガイドレール４６によって支持される。
【００５８】
上述の通り、ガイドレール４５、４６と、搬送ローラ対５１と、排出ローラ対６１とは、いずれもサイドフレーム１２０、１３０に支持されている。また、キャリッジ４０（換言すれば、記録部２４）は、ガイドレール４５、４６を介してサイドフレーム１２０、１３０に支持されている。すなわち、ガイドレール４５、４６と、搬送ローラ対５１と、記録部２４と、排出ローラ対６１とは、サイドフレーム１２０、１３０を介してベース部材１００の主壁１１３に支持されている。一方、給送部１６は、主壁１１３に直接支持されている。
【００５９】
プラテン４２の前方側（すなわち、搬送向き１５の下流側）の端部には、係止部４２Ａ、４２Ｂが設けられている。係止部４２Ａ、４２Ｂは、プラテン４２の長手方向（すなわち、左右方向９）に離間して設けられている。より詳細には、係止部４２Ａは、プラテン４２の長手方向の両端において前方に突出している。一方、係止部４２Ｂは、プラテン４２の長手方向の中央において前方に突出している。係止部４２Ａは、排出ローラ６２の軸６４の外面に上方側から当接する。係止部４２Ｂは、排出ローラ６２の軸６４の外面に下方側から当接する。すなわち、係止部４２Ａ、４２Ｂは、排出ローラ６２の軸６４を上下方向７から挟持する。換言すれば、プラテン４２は、排出ローラ６２の軸６４によって支持されている。
【００６０】
また、プラテン４２の後方側（すなわち、搬送向き１５の上流側）の端部は、図９（Ａ）に示されるように、後方に突出する突出片４２Ｃが設けられている。より詳細には、突出片４２Ｃは、プラテン４２の長手方向の両端において後方に突出している。この突出片４２Ｃは、その上面において搬送ローラ５２の軸受５５の外面に当接し、下面においてコイルバネ４９からの付勢力を受ける。すなわち、突出片４２Ｃは、軸受５５によって上方への移動が規制された状態で、コイルバネ４９によって上方に付勢されている。
【００６１】
また、サイドフレーム１２０、１３０に沿ってリリースロッド７０Ａ、７０Ｂ（本発明の可動部材の一例）が設けられている。詳細には、リリースロッド７０Ａは、サイドフレーム１３０のベース部１３１の上面で、且つサイドフレーム１３０の支持壁１３２の右面に沿って前後方向８に延設されている。リリースロッド７０Ｂは、サイドフレーム１２０のベース部１２１の上面で、且つサイドフレーム１２０の支持壁１２２の左面に沿って前後方向８に延設されている。そして、リリースロッド７０Ａ、７０Ｂは、サイドフレーム１２０、１３０に沿って前後方向８に移動可能に構成されている。
【００６２】
リリースロッド７０Ａは、図６に示されるように、ベース部７１と、搬送ローラ当接部７２（本発明の第１当接部の一例）と、排出ローラ当接部７３（本発明の第２当接部の一例）と、把持部７４とを備える。なお、リリースロッド７０Ａ、７０Ｂは、搬送ローラ当接部７２、排出ローラ当接部７３、及び把持部７４のベース部７１に対する取り付け位置が反対であること以外は同一の構成であるので、以下、リリースロッド７０Ａについて説明する。また、以下のリリースロッド７０Ａの各部の説明は、リリースロッド７０Ａを複合機１０に取り付けた状態における方向（上下方向７、前後方向８、及び左右方向９）を用いて行う。
【００６３】
ベース部７１は、前後方向８及び左右方向９に延設された板状の部材である。ベース部７１は、前後方向８の長さが左右方向９の長さより長い長尺状の部材であって、サイドフレーム１３０のベース部１３１に概ね平行に配置される。すなわち、リリースロッド７０Ａが前後方向８に移動すると、ベース部７１は、サイドフレーム１３０のベース部１３１の上面に沿って移動する。
【００６４】
搬送ローラ当接部７２は、上下方向７及び前後方向８に延設された板状の部材である。搬送ローラ当接部７２は、ベース部７１の長手方向の一端（すなわち、前後方向８の後端）で且つ短手方向の一端（すなわち、左右方向９の左端）において、ベース部７１の厚み方向（すなわち、上下方向７の上方）に立設されている。すなわち、ベース部７１と搬送ローラ当接部７２とは、互いに交差する方向に延設されている。
【００６５】
搬送ローラ当接部７２は、ベース部７１から上方に突出する基端部７５と、基端部７５の上端から前方に突出する先端部７６とで構成される。また、先端部７６には、搬送ローラ５２の軸を支持する軸受５５の外面に当接する軸受当接部７７と、リリースシャフト５７の外面に当接するシャフト当接部７８とを有する。軸受当接部７７とシャフト当接部７８とは、上下方向７における先端部７６の反対側に設けられている。より詳細には、先端部７６の下側に軸受当接部７７が設けられ、先端部７６の上側にシャフト当接部７８が設けられている。
【００６６】
シャフト当接部７８の上面は、第１面７８Ａと、第２面７８Ｂと、傾斜面７８Ｃとで構成される。第１面７８Ａ及び第２面７８Ｂは、上下方向７及び前後方向８に離間して設けられており、且つ各々が概ね水平面上に延設されている。詳細には、第１面７８Ａは、第２面７８Ｂより前方で且つ下方に配置されている。換言すれば、第２面７８Ｂは、第１面７８Ａより後方で且つ上方に配置されている。その結果、上下方向７において、第２面７８Ｂは、第１面７８Ａより軸受当接部７７から離間している。傾斜面７８Ｃは、第１面７８Ａの後端と第２面７８Ｂの前端とを接続している。傾斜面７８Ｃは、第１面７８Ａ側から第２面７８Ｂ側（すなわち、後方に向かって）登り傾斜となっている。
【００６７】
排出ローラ当接部７３は、上下方向７及び前後方向８に延設された板状の部材である。排出ローラ当接部７３は、ベース部７１の長手方向の他端（すなわち、前後方向８の前端）で且つ短手方向の一端（すなわち、左右方向９の左端）において、ベース部７１の厚み方向（すなわち、上下方向７の上方）に立設されている。すなわち、ベース部７１と排出ローラ当接部７３とは、互いに交差する方向に延設されている。また、搬送ローラ当接部７２と排出ローラ当接部７３とは、概ね平行（より詳細には、概ね同一平面上）に延設されている。
【００６８】
排出ローラ当接部７３には、厚み方向（すなわち、左右方向９）に貫通する貫通孔７９が設けられている。この貫通孔７９には、排出ローラ６２の軸６４が挿通される。また、貫通孔７９の上縁を区画する壁面は、保持面７９Ａと、案内面７９Ｂとを含む。保持面７９Ａは、貫通孔７９の上縁の前端に位置しており、概ね水平（或いは、後方側が前方側より僅かに上方に位置する）となっている。案内面７９Ｂは、保持面７９Ａの前端に接続されており、後方側が前方側より下方に位置するように傾斜している。
【００６９】
把持部７４は、上下方向７及び左右方向９に延設された板状の部材である。把持部７４は、ベース部７１の長手方向の他端（すなわち、前後方向８の前端）で且つ短手方向の他端（すなわち、左右方向９の右端）において右方に突設されている。すなわち、把持部７４は、ベース部７１、搬送ローラ当接部７２、及び排出ローラ当接部７３と交差する方向に延設されている。また、把持部７４は、図５に示されるように、トレイ収容空間１０７に露出されている。
【００７０】
すなわち、トレイ収容空間１０７から給送トレイ２０及び排出トレイ２１を引き出すことにより、ユーザは、開口１３を通じて把持部７４を把持することができる。より詳細には、ユーザは、開口１３を通じてトレイ収容空間１０７に手を入れて把持部７４を把持することにより、リリースロッド７０Ａを前方（すなわち、開口１３に近づく向き）に引き出し、或いは後方（すなわち、開口から遠ざかる向き）に押し込むことができる。また、リリースロッド７０Ａが引き出された状態で給送トレイ２０及び排出トレイ２１をトレイ収容空間１０７に挿入すると、給送トレイ２０或いは排出トレイ２１の後端と把持部７４とが当接することにより、リリースロッド７０Ａは後方に押し込まれる。
【００７１】
これにより、リリースロッド７０Ａ、７０Ｂは、前後方向８において、図７に示される第１位置（すなわち、後方側に押し込まれた位置）と、図８に示される第２位置（すなわち、前方側に引き出された位置）とに移動可能である。なお、リリースロッド７０Ａ、７０Ｂが第１位置に位置する時、搬送ローラ５２とピンチローラ５３とは互いに当接し、排出ローラ６２のローラ６５と拍車６３とは互いに当接する。一方、リリースロッド７０Ａ、７０Ｂが第２位置に位置する時、搬送ローラ５２とピンチローラ５３とは互いに離間し、排出ローラ６２のローラ６５と拍車６３とは互いに離間する。なお、以下の説明で参照される図７〜図１０にはリリースロッド７０Ｂのみを図示しているが、リリースロッド７０Ａも同様の状態となる。
【００７２】
リリースロッド７０Ａ、７０Ｂが第１位置に位置する場合、図７及び図９（Ａ）に示されるように、リリースシャフト５７は、シャフト当接部７８の第１面７８Ａによって支持されている。すなわち、第１位置におけるリリースロッド７０Ａの第１面７８Ａは、リリースシャフト５７の軸方向の一端側（すなわち、左右方向９の右側）の外面（より詳細には、外周面）に当接する。一方、第１位置におけるリリースロッド７０Ｂの第１面７８Ａは、リリースシャフト５７の軸方向の他端側（すなわち、左右方向９の左側）の外面に当接する。また、排出ローラ６２の軸６４は、図７に示されるように、リリースロッド７０Ａ、７０Ｂの貫通孔７９内において、保持面７９Ａ及び案内面７９Ｂに当接していない。その結果、図９（Ｂ）に示されるように、搬送ローラ５２とピンチローラ５３とは互いに当接し、排出ローラ６２のローラ６５と拍車６３とは互いに当接している。また、プラテン４２は、概ね水平に維持されている。
【００７３】
次に、リリースロッド７０Ａ、７０Ｂが第２位置まで引き出されると、搬送ローラ当接部７２は、上下方向７における搬送ローラ５２の軸受５５とリリースシャフト５７との間に進入する。換言すれば、軸受５５は、ベース部７１と基端部７５と先端部７６とで区画される空間に進入する。そして、図８及び図１０（Ａ）に示されるように、軸受当接部７７は、軸受５５の外面（より詳細には、外周面）に上方側から当接する。すなわち、第２位置におけるリリースロッド７０Ａの軸受当接部７７は、搬送ローラ５２の軸の一端側を支持する軸受５５の外面に当接する。一方、第２位置におけるリリースロッド７０Ｂの軸受当接部７７は、搬送ローラ５２の軸の他端側を支持する軸受５４の外面に当接する。
【００７４】
また、リリースロッド７０Ａ、７０Ｂが第２位置まで引き出される過程において、リリースシャフト５７は、第１面７８Ａ側から第２面７８Ｂ側に向かって傾斜面７８Ｃ上を移動する。そして、リリースロッド７０Ａ、７０Ｂが第２位置に到達すると、リリースシャフト５７は、図８及び図１０（Ａ）に示されるように、第２面７８Ｂに支持される。すなわち、第２位置におけるリリースロッド７０Ａの第２面７８Ｂは、リリースシャフト５７の軸方向の一端側の外面に当接する。一方、第２位置におけるリリースロッド７０Ｂの第２面７８Ｂは、リリースシャフト５７の軸方向の他端側の外面に当接する。
【００７５】
ここで、リリースシャフト５７が傾斜面７８Ｃに沿って上方に移動する過程において、リリースシャフト５７は、各ローラホルダ５６の孔５６Ｃを区画する壁面に当接して、コイルバネ５８の付勢力に抗してローラホルダ５６を上方に移動させる。これにより、ピンチローラ５３は、ローラホルダ５６と共に上方に移動し、図１０（Ｂ）に示されるように、リリースロッド７０Ａ、７０Ｂが第２位置に到達した時点では搬送ローラ５２から離間している。
【００７６】
また、リリースロッド７０Ａ、７０Ｂが第２位置まで引き出される過程において、排出ローラ６２の軸６４は、貫通孔７９の内部を後方側に移動し、案内面７９Ｂに当接する。そして、排出ローラ６２の軸６４は、案内面７９Ｂに案内されてコイルバネ６７の付勢力に抗して下方に移動する。そして、リリースロッド７０Ａ、７０Ｂが第２位置に到達すると、排出ローラ６２の軸６４は、保持面７９Ａによって保持される（すなわち、コイルバネ６７の付勢力による上方への移動が規制される）。これにより、排出ローラ６２のローラ６５は、図１０（Ｂ）に示されるように、拍車６３から離間する。
【００７７】
さらに、リリースロッド７０Ａ、７０Ｂが第２位置まで引き出される過程において、プラテン４２は、搬送向き１５の上流側の端部（すなわち、搬送ローラ対５１に近い側の端部）を回動基点とし、排出ローラ６２の軸６４によって支持された搬送向き１５の下流側の端部を回動先端として、回動先端が排出ローラ６２の軸６４と共に下方に移動する。そして、リリースロッド７０Ａ、７０Ｂが第２位置に到達すると、搬送向き１５におけるプラテン４２の下流側の端部は、図１０（Ｂ）に示されるように、上流側の端部より下方に位置することになる。換言すれば、プラテン４２は、搬送向き１５に向かって下り傾斜となる。
【００７８】
［本実施形態の作用効果］
本実施形態によれば、リリースロッド７０Ａ、７０Ｂを第１位置から第２位置に移動させる１つの動作で、搬送ローラ対５１及び排出ローラ対６１それぞれを構成する２つのローラを離間させることができる。また、ピンチローラ５３と排出ローラ６２とを互いに逆向きに移動させ、且つ排出ローラ６２の移動向きにプラテン４２を回動させることにより、記録用紙１２の搬送経路が傾けられる。さらに、傾いた搬送経路の略延長線上に開口１３が設けられている。これにより、搬送経路上に詰まった記録用紙１２を取り出しやすくなる。
【００７９】
また、本実施形態によれば、トレイ収容空間１０７に配置されている給送トレイ２０及び排出トレイ２１を取り出し、把持部７４を掴んでリリースロッド７０Ａ、７０Ｂを開口１３側に引き出すことによってニップを解除し、開口１３側に傾けられた記録用紙１２を引き出すことによってジャム処理を行うことができる。
【００８０】
また、本実施形態によれば、ジャム処理の後で再び給送トレイ２０及び排出トレイ２１をトレイ収容空間１０７に挿入することによって、リリースロッド７０Ａ、７０Ｂを第２位置から第１位置に移動させることができる。その結果、ニップが解除された状態で次の記録用紙１２の搬送が開始されるのを防止できる。
【００８１】
また、リリースロッド７０Ａ、７０Ｂによってピンチローラ５３を上方に移動させ、搬送用モータによって駆動される搬送ローラ５２を移動させないように構成することにより、搬送精度の低下を抑制できる。
【００８２】
さらに、上記の実施形態では、搬送装置の一例としてインクジェット記録方式のプリンタ部１１を備える複合機１０の例を説明したが、本発明はこれに限定されない。例えば、レーザー記録方式のプリンタに適用してもよいし、画像読取装置において原稿を搬送するフィーダに適用してもよい。
【００８３】
［変形例］
なお、本実施形態では、搬送ローラ対５１のうちのピンチローラ５３を上方に移動させ、排出ローラ対６１のうちの排出ローラ６２を下方に移動させ、排出ローラ６２に支持されたプラテン４２の搬送向き１５の下流側の端部を下方に移動させた例を説明した。これにより、直線搬送路３４は、搬送向き１５の上流側から下流側に向けて下向きに傾斜することになる。しかしながら、本発明はこれに限定されない。
【００８４】
例えば、リリースロッド７０Ａ、７０Ｂ（図１１では、図示省略）が第１位置に位置する時の搬送ローラ対５１、排出ローラ対６１、及びプラテン４２が図１１（Ａ）に示される状態であり、リリースロッド７０Ａ、７０Ｂが第２位置に位置する時の搬送ローラ対５１、排出ローラ対６１、及びプラテン４２が図１１（Ｂ）に示される状態であってもよい。詳細には、リリースロッド７０Ａ、７０Ｂを第１位置から第２位置へ移動させることにより、図１１（Ｂ）の矢印で示されるように、搬送ローラ５２が下方に移動して搬送ローラ対５１が離間し、拍車６３が上方に移動して排出ローラ対６１が離間し、搬送ローラ５２に支持されたプラテン４２の搬送向き１５の上流側の端部が下方に移動してもよい。
【００８５】
これにより、直線搬送路３４は、図１１（Ｂ）に示されるように、搬送向き１５の上流側から下流側に向けて上向きに傾斜することになる。ユーザは、複合機１０を上方側から操作することが多いので、記録用紙１２の取り出し口を排出ローラ対６１より上方で且つ搬送向き１５の下流側に設けることにより、複合機１０内に詰まった記録用紙１２を容易に取り除くことが可能となる。
【符号の説明】
【００８６】
１０・・・複合機
２１・・・排出トレイ
２４・・・記録部
４２・・・プラテン
４６・・・ガイドレール
５０・・・搬送部
５２・・・搬送ローラ
５３・・・ピンチローラ
５４，５５・・・軸受
５６・・・ローラホルダ
５７・・・リリースシャフト
５８・・・コイルバネ
６０・・・排出部
６２・・・排出ローラ
６３・・・拍車
６７・・・コイルバネ
７０Ａ，７０Ｂ・・・リリースロッド
７２・・・搬送ローラ当接部
７３・・・排出ローラ当接部
７４・・・把持部
７７・・・軸受当接部
７８・・・シャフト当接部
７８Ａ・・・第１面
７８Ｂ・・・第２面
７８Ｃ・・・傾斜面
１００・・・ベース部材
【図１】
2014156088.tif 000003
【図２】
2014156088.tif 000004
【図３】
2014156088.tif 000005
【図４】
2014156088.tif 000006
【図５】
2014156088.tif 000007
【図６】
2014156088.tif 000008
【図７】
2014156088.tif 000009
【図８】
2014156088.tif 000010
【図９】
2014156088.tif 000011
【図１０】
2014156088.tif 000012
【図１１】
2014156088.tif 000013